(57)【要約】【課題】打撃音をゴルファの好みに容易に調節するとともにゴルフボールの弾道も調整することのできるゴルフクラブヘッドを提供する。【解決手段】ゴルフクラブヘッド１のソール部材３には、ソール部材３を貫通する貫通孔である取付孔４ｈ，４ｉ，４ｊ，４ｋが設けられ、中空部側に突出する共鳴調節部材６と閉塞部材７，８，９とが取付孔４ｈ，４ｉ，４ｊ，４ｋに螺合により装着されている。共鳴調節部材６は、減衰率の低い高弾性鋼によって成形された音叉形状の部材である。これにより、打撃音を残響させ音圧を保ち大きな打撃音を生じさせる。また、共鳴調節部材６として打撃音を速やかに減衰させる制振材を用いてもよい。共鳴調節部材６は閉塞部材７，８，９に比べて質量が大きく、共鳴調節部材６の取付孔を変更することで、ゴルフクラブヘッドの重心距離および重心後退量を調整することができ、ゴルフボールの弾道を調整することができる。【選択図】図１
2004222911.tif 000002
【特許請求の範囲】
【請求項１】
外郭部材によって囲まれて形成された中空部を有するゴルフクラブヘッドであって、
前記外郭部材に貫通孔が設けられており、ゴルフボールの打撃時の中空部の空洞共鳴を制御する共鳴調節部材が前記貫通孔を貫通して前記中空部内に位置するように、前記共鳴調節部材が前記外郭部材に着脱自在に取り付けられていることを特徴とするゴルフクラブヘッド。
【請求項２】
前記共鳴調節部材が前記貫通孔に螺合により装着されている請求項１に記載のゴルフクラブヘッド。
【請求項３】
前記貫通孔が、前記外郭部材のうちソール部材、サイド部材およびクラウン部材の少なくとも１つに設けられている請求項１または２に記載のゴルフクラブヘッド。
【請求項４】
前記貫通孔は、ソール部材に複数設けられており、少なくとも１つの貫通孔に前記共鳴調節部材が装着されている請求項１〜３のいずれか１項に記載のゴルフクラブヘッド。
【請求項５】
前記共鳴調節部材が装着されている貫通孔以外の貫通孔には、貫通孔を閉塞する閉塞部材が装着され、前記共鳴調節部材は前記閉塞部材に比べて質量が大きい請求項４に記載のゴルフクラブヘッド。
【請求項６】
前記共鳴調節部材は音叉形状の部材である請求項１〜５のいずれか１項に記載のゴルフクラブヘッド。
【請求項７】
前記共鳴調節部材は、マンガンを主成分とし、銅、ニッケルおよび鉄のうち少なくとも１つを含む合金材料によって構成した制振部材である請求項１〜５のいずれか１項に記載のゴルフクラブヘッド。
【発明の詳細な説明】
【０００１】
【発明の属する技術分野】
本発明は、ウッド系、アイアン系中空ゴルフクラブヘッド等の中空構造のゴルフクラブヘッドに関し、詳しくは、ゴルフボール打撃時の打撃音をゴルファの好みに合わせて調節することができるゴルフクラブヘッドに関する。
【０００２】
【従来の技術】
近年の中空構造のゴルフクラブヘッドは、炭素繊維強化プラスチック（ＣＦＲＰ）を主材とするものやチタンやステンレス等の金属材料を主材とするものが種々提案されている。前者を主材とするものは、打撃音が小さく、また、後者を主材とするものは、ゴルフボールを打撃する際の反発特性を向上するためにフェース部材の肉厚を薄くし、しかも、ゴルフクラブヘッドの体積を大きくするため、ゴルファにとって好ましくない金属打撃音となってしまう場合もあった。
【０００３】
一般に、ゴルファは、ゴルフボールの打撃時の打撃音を、ゴルフボールの打撃が的確に成されたか否かを判断するのに用いたり、また、この打撃音にゴルフとしての爽快感を求める。このため、ゴルフボール打撃時の音響特性がゴルファにとって好ましくない場合、ゴルフボールの打撃の良し悪しを判断することが困難となるほか、ゴルフボールの打撃に爽快感を求めることもできないものとなってしまう。
【０００４】
そのため、従来の中空構造のゴルフクラブヘッドでは、打撃音を調節するために、様々な工夫がなされている。例えば、ゴルフクラブヘッドの外郭部材の一部を開口させて開放的な音質になるようにしたゴルフクラブヘッド（特許文献１）やゴルフクラブヘッドの外郭の内部に音叉状の共鳴体を封入して響く音質の打球音になるようにしたゴルフクラブヘッド（特許文献２）が提案されている。
【０００５】
【特許文献１】
特開平１１ー１６９４９１号公報
【特許文献２】
特開平１０−３３７２４号公報
【０００６】
【発明が解決しようとする課題】
しかしながら、上記特許文献１、２に記載のゴルフクラブヘッドでは、ゴルフクラブヘッドの設計・製造時に構造が規格化されてしまうため、ゴルファ毎の好みに合わせるためには、予め複数種類の規格品を製造しておくか、ゴルファの注文に合わせてその都度製造しなければならないといった問題点がある。また、ゴルフボール打撃時の音響特性が製品毎にばらつく場合の調節を行うこともできないといった問題もある。
【０００７】
そこで、本発明は、上記問題点に鑑みてなされたものであって、ゴルフボール打撃時の打撃音を容易に調節し、ゴルファの好みに合った打撃音とする、あるいは、設計通りの打撃音とすることのできるゴルフクラブヘッドを提供することを目的とする。
【０００８】
【課題を解決するための手段】
前述の目的を達成するために、本発明は、外郭部材によって囲まれて形成された中空部を有するゴルフクラブヘッドであって、前記外郭部材に貫通孔が設けられており、ゴルフボールの打撃時の中空部の空洞共鳴を制御する共鳴調節部材が前記貫通孔を貫通して前記中空部内に位置するように、前記共鳴調節部材が前記外郭部材に着脱自在に取り付けられていることを特徴とするゴルフクラブヘッドを提供する。
【０００９】
その際、前記共鳴調節部材が前記貫通孔に螺合により装着されているのが好ましい。また、前記貫通孔が、前記外郭部材のうちソール部材、サイド部材およびクラウン部材の少なくとも１つに設けられているのが好ましい。
また、前記貫通孔は、ソール部材に複数設けられており、少なくとも１つの貫通孔に前記共鳴調節部材が装着されているのが好ましい。この場合、前記共鳴調節部材が装着されている貫通孔以外の貫通孔には、貫通孔を閉塞する閉塞部材が装着され、前記共鳴調節部材は前記閉塞部材に比べて質量が大きいのが好ましい。
【００１０】
さらに、前記共鳴調節部材は音叉形状の部材であるのが好ましい。
また、前記共鳴調節部材は、マンガンを主成分とし、銅、ニッケルおよび鉄のうち少なくとも１つを含む合金材料によって構成した制振部材であるのも同様に好ましい。
【００１１】
【発明の実施の形態】
以下、図面を適宜参照して本発明の実施形態を詳細に説明する。なお、本発明は、以下に説明する実施形態によって限定されるものではなく、実施形態と実質的に同一な構成も含むものである。
【００１２】
図１は、本発明のゴルフクラブヘッドの一実施形態であるゴルフクラブヘッド１の正面図である。図２は、ゴルフクラブヘッド１の底面図である。図３は、ゴルフクラブヘッド１をヒール側から見た側面図である。
【００１３】
ゴルフクラブヘッド１は、外殻部材である、ゴルフボールを打撃するフェース部材２と、ソール面を成すソール部材３と、サイド面を成すサイド部材４と、クラウン部材５とが互いに溶接あるいは接着されて中空部を形成する外郭を構成している。なお、各部材は、アルミニウムやステンレスやチタンなどの金属、合金などの他、炭素繊維強化プラスチック等によって成形されて軽量化されている。
【００１４】
また、このゴルフクラブヘッド１のソール部材３には、ゴルフクラブヘッド外部と中空部を繋ぐように貫通孔が複数設けられ、これらの貫通孔を閉塞するように、共鳴調節部材６および閉塞部材７，８，９が着脱自在に装着されている。
共鳴調節部材６は、例えば、高弾性鋼によって形成された音叉形状の部材であり、閉塞部材７，８，９は、チタンによって成型された部材である。なお、共鳴調節部材６は、閉塞部材７，８，９のそれぞれの質量よりも大きく、例えば、前者が２０ｇのとき、後者が２ｇとなっている。高弾性鋼は、振動における減衰率が低い材質であって、ゴルフボールの打撃時にゴルフクラブヘッドの中空部内に発生した打撃音を残響させる効果がある。特に、共鳴調節部材６の形状は、音叉形状に成形してあるため、打撃音を共鳴させる効果がある。さらに、共鳴調節部材６および閉塞部材７，８，９は、軽量化されて成形された外殻部材を質量調整用錘あるいは重心調整用錘として用いることができる。この場合、共鳴調節部材６は、共鳴調節部材６を取り付ける前のゴルフクラブヘッド１の重心Ｇよりもヒール側に共鳴調節部材６を取り付けているため、ゴルフクラブシャフトをネック部に装着した場合のゴルフクラブシャフトの中心軸を延長した中心線に至るゴルフクラブヘッド１の重心距離を短くすることができる。また、ゴルフクラブヘッド１の重心位置がフェース面から内部に後退した重心後退量を調整することができる。
【００１５】
図４（Ａ）は、ゴルフクラブヘッド１を図２に示すａ−ａ’線で切断したａ−ａ’矢視断面図であり、図４（Ｂ）および（Ｃ）は、共鳴調節部材６および閉塞部材７，８，９の装着部分の断面図である。図５は、ゴルフクラブヘッド１に共鳴調節部材６および閉塞部材７，８，９を取り付ける前の底面図である。図６は、図５に示すｂ−ｂ’線で切断した矢視断面図であり、ゴルフクラブヘッド１に共鳴調節部材６および閉塞部材７，８，９を取り付ける前の要部断面図である。
【００１６】
ソール部材３には、ソール部材に設けられている貫通孔である取付孔４ｈ，４ｉ，４ｊ，４ｋ（図５参照）のそれぞれに対応して中空部側に向けて案内部４ｄ，４ｅ，４ｆ，４ｇが設けられている。取付孔４ｈ，４ｉ，４ｊ，４ｋに連なる案内部４ｄ，４ｅ，４ｆ，４ｇの内壁には、共鳴調節部材６および閉塞部材７，８，９に設けられている螺子溝と螺合するように螺子溝が形成されている。なお、取付孔４ｈ，４ｉ，４ｊ，４ｋは、ソール部材３の面上に２次元的に設けられており、共鳴調節部材６および閉塞部材７，８，９をソール部材３の面上で２次元的に配置することができ、ゴルフクラブヘッド１の重心Ｇの重心距離およびフェース面からの重心後退量を自在に調整することができる。
【００１７】
図７（Ａ）は、ゴルフクラブヘッド１に取り付ける共鳴調節部材６の斜視図であり、図７（Ｂ）には閉塞部材７，８，９の斜視図である。
図７（Ａ）に示すように、共鳴調節部材６は、螺子溝を形成した略円柱形状の台座６ａと板状の対向する音叉部材６ｂの対とで構成されている。音叉部材６ｂによる音の共鳴周波数は、ゴルフクラブヘッド１で生じる共鳴周波数に合うように、音叉部材６ｂの長さが設定されている。
したがって、共鳴調節部材６がゴルフクラブヘッド１に装着される場合、音叉部材６ｂは取付孔４ｈを貫通し中空部内に突出して中空部内で生じるゴルフボール打撃時の空洞共鳴を調節することができる。
また、図７（Ｂ）に示すように、閉塞部材７（８，９）は、螺子溝を形成した円柱形状の台座７ａで構成され、図４（Ｃ）に示すように、閉塞部材７（８，９）は、案内部４ｅ，４ｆ，４ｇから突出しないようになっている。
【００１８】
したがって、ゴルフクラブヘッド１では、高弾性鋼を用いた音叉形状の共鳴調節部材６を取付孔４ｈに装着するので、高い周波数の打撃音を残響させることができる。さらに、図１に示すように、ヒール側の取付孔４ｈに、閉塞部材７，８，９に比べて質量の大きい共鳴調節部材６を配置し、取付孔４ｉ，４ｊ，４ｋには閉塞部材７，８，９を配置するので、重心距離の短いゴルフクラブヘッド１を提供することができる。また、共鳴調節部材６、閉塞部材７，８，９は、ゴルフクラブヘッド１に対して螺合させて取り付けるため、その取り付け及び取り外しが極めて容易である。
【００１９】
図８は、本発明のゴルフクラブヘッドにおいて、共鳴調節部材を図１と異なる位置に配置したゴルフクラブヘッド１１の正面図である。図９は、ゴルフクラブヘッド１１の底面図である。図１０は、ゴルフクラブヘッド１１のヒール側から見た右側面図である。なお、ゴルフクラブヘッド１と同一構成要素には、同一符号を付し、説明を省略する。ゴルフクラブヘッド１１は、フェース部材２と、ソール部材３と、サイド部材４と、クラウン部材５とを有している。
【００２０】
上述したように、ゴルフクラブヘッド１では、ゴルフクラブヘッド１に設けられた取付孔４ｈ，４ｉ，４ｊ，４ｋ（図５参照）に共鳴調節部材６、閉塞部材７，８，９が着脱自在に取り付けられているが、ゴルフクラブヘッド１１では、ゴルフクラブヘッド１と異なり、共鳴調節部材６はトウ側に位置する取付孔４ｋ（図５参照）に配置され、閉塞部材７，８，９は取付孔４ｈ，４ｉ，４ｊ（図５参照）に配置されている。
したがって、ゴルフクラブヘッド１１は、高い周波数の打撃音を残響させることができる一方、トウ側の取付孔４ｋに、閉塞部材７，８，９に比べて質量の大きい共鳴調節部材６を配置するので、重心距離の長いゴルフクラブヘッドを提供することができる。また、共鳴調節部材６を取付孔４ｉ，４ｊに装着して、重心距離および重心後退量を調整することもできる。
このように、共鳴調節部材６の配置位置を変えることで、重心距離または重心後退量を移動させることができ、打ち出されたゴルフボールがスライス傾向、フック傾向、低弾道傾向または高弾道傾向にあるゴルファに対して、適切なゴルフボールの弾道となるように調節されたゴルフクラブヘッドを提供することができる。
【００２１】
図１１は、本発明のゴルフクラブヘッドの他の実施形態であるゴルフクラブヘッド２１の正面図である。図１２は、ゴルフクラブヘッド２１の底面図である。図１３は、ヒール側から見たゴルフクラブヘッド２１の右側面図である。なお、ゴルフクラブヘッド２１の構成要素のうちゴルフクラブヘッド１と同一の構成要素には、同一符号を付し、説明を省略する。ゴルフクラブヘッド２１は、フェース部材２と、ソール部材３と、サイド部材４と、クラウン部材５とを有している。
【００２２】
ゴルフクラブヘッド２１には、ゴルフクラブヘッド外部と中空部を繋ぐように貫通孔が複数設けられ、これらの貫通孔を閉塞するように、共鳴調節部材２６および閉塞部材２７，２８，２９が着脱自在に装着されている。
共鳴調節部材２６は、制振部材、例えば、Ｄ２０５２合金によって成形された部材である。Ｄ２０５２合金とは、銅を２２．３％、ニッケルを５．１％、鉄を２．０％を含み、残りをマンガンとする、マンガンを主成分とした合金である。閉塞部材２７，２８，２９は、チタンによって成形された部材である。なお、共鳴調節部材２６は、閉塞部材２７，２８，２９のそれぞれの質量よりも大きく、例えば、前者が２０ｇのとき、後者が２ｇとなっている。
Ｄ２０５２合金は、後述する図２０に示すように、振動における減衰率が高い材質であり、ゴルフボール打撃時にゴルフクラブヘッドの中空部内に発生した打撃音を速やかに減衰させる効果を有する。また、ゴルフクラブヘッド２１は、共鳴調節部材２６を取り付ける前のゴルフクラブヘッド２１の重心Ｇよりもヒール側に共鳴調節部材２６を取り付けるため、ゴルフクラブシャフトをネック部に装着した場合のゴルフクラブシャフトの中心を延長した中心線に至るゴルフクラブヘッド２１の重心距離が短くなっている。
【００２３】
図１４は、ゴルフクラブヘッド２１を図１２に示すｃ−ｃ’線で切断した時のｃ−ｃ’矢視断面図である。ソール部材３には、中空部側に向けて案内部４ｄ，４ｅ，４ｆ，４ｇが設けられ、案内部４ｄ，４ｅ，４ｆ，４ｇの内壁が取付孔４ｈ，４ｉ，４ｊ，４ｋに連なるように構成されている。図１４では、案内部４ｄ，４ｅが示されている。案内部４ｄ，４ｅ，４ｆ，４ｇの内壁には、共鳴調節部材２６，閉塞部材２７，２８，２９に設けられた螺子溝と螺合する螺子溝が形成されている。
【００２４】
図１５は、ゴルフクラブヘッド２１に取り付ける共鳴調節部材２６の斜視図である。閉塞部材２６，２７，２８は、図７（Ｂ）に示す閉塞部材７（８，９）と同様の構成である。
図１５に示すように、共鳴調節部材２６は、螺子溝を形成した略円柱形状の台座２６ａと円柱形状の振動吸収部２６ｂとで構成され、共鳴調節部材２６がゴルフクラブヘッド２１に装着される場合、振動吸収部材２６ｂは取付孔４ｈを貫通し中空部内に突出するように構成されており、このため、装着された共鳴調節部材２６は中空部内で生じるゴルフボール打撃時の空洞共鳴を抑制することができる。なお、共鳴調節部材２６は、振動吸収部２６ｂの円柱形状端面が中空部の内面に面するように装着されてもよい。
したがって、ゴルフクラブヘッド２１は、制振材であるＤ２０５２合金を用いた共鳴調節部材２６を取付孔４ｈに装着するので、ゴルフボール打撃時の打撃音を速やかに減衰させ、音圧の小さな打撃音を実現することができる。さらに、図１１に示すように、ヒール側の取付孔４ｈに、閉塞部材２７，２８，２９に比べて重量の重い共鳴調節部材２６を配置し、取付孔４ｉ，４ｊ，４ｋには閉塞部材２７，２８，２９を配置するので、重心距離の短いゴルフクラブヘッド２１を提供できる。また、共鳴調節部材２６、閉塞部材２７，２８，２９は、ゴルフクラブヘッド２１に対して螺合させて取り付けるため、その取り付け及び取り外しが極めて容易である。
【００２５】
図１６は、ゴルフクラブヘッド２１において、共鳴調節部材２６を図１１に示す位置と異なる位置に配置したゴルフクラブヘッドの正面図である。図１７は、ゴルフクラブヘッド２１の底面図である。図１８は、ゴルフクラブヘッド２１のヒール側から見た右側面図である。なお、ゴルフクラブヘッド１と同一構成要素には、同一符号を付し、説明を省略する。ゴルフクラブヘッド２１は、フェース部材２と、ソール部材３と、サイド部材４と、クラウン部材５とを有している。
【００２６】
図１６に示すゴルフクラブヘッド２１は、取付孔４ｈ，４ｉ，４ｊ，４ｋ（図５参照）に共鳴調節部材２６、閉塞部材２７，２８，２９が着脱自在に取り付けてられているが、図１１に示すゴルフクラブヘッド２１と異なり、共鳴調節部材２６はトウ側に位置する取付孔４ｋ（図５参照）に配置され、閉塞部材２７，２８，２９は取付孔４ｈ，４ｉ，４ｊ（図５参照）に配置されている。
したがって、ゴルフボール打撃時に発生する打撃音を速やかに減衰させることができる一方、トウ側の取付孔４ｋに、閉塞部材７，８，９に比べて質量の大きい共鳴調節部材２６を配置するので、重心距離の長いゴルフクラブヘッド２１を提供することができる。
また、共鳴調節部材２６を取付孔２４ｉや取付孔２４ｊに装着してもよい。
このように、共鳴調節部材２６の配置位置を変えることで、重心位置を移動させることができ、打ち出されたゴルフボールがスライス傾向、フック傾向、低弾道傾向または高弾道傾向にあるゴルファに対して、適切なゴルフボールの弾道となるように調節されたゴルフクラブヘッドを提供することができる。
【００２７】
なお、上述した共鳴調節部材６における音叉部材６ｂの長さや共鳴調節部材２６における振動吸収部材２６ｂの長さに制限はなく、長短自由に設けてもよく、さらに、図１９に示すように音叉部材６ｂをＹ字状の音叉形状としてもよい。
また、音叉部材６ｂは、板状の部材の替わりに円柱状の部材としてもよい。
【００２８】
最後に、共鳴調節部材６，２６の材質について説明する。図２０に、金属材料の引張り強さ−対数減衰率の関係を示したグラフを示す。このグラフでは、縦軸にとった対数減衰率が小さく（下に）なるほど共鳴しやすく、大きく（上に）なるほど振動が減衰しやすい性質を示している。横軸の破線（「鉛」を通る対数減衰率の一定の線）を境に下側にプロットされる各種金属材料は、打撃音を残響させたい場合に使用するのが好ましい。例えば、銅、鉄、アルミニウム合金、チタン合金などである。また、上記破線を境に上側にプロットされる各種金属材料は、打撃音を速やかに減衰させたい場合に使用するのが好ましい。例えば、Ｄ２０５２、ＭｎＣｕ等の合金などである。また、共鳴調節部材６，２６のように螺子によりゴルフクラブヘッドに装着するためには機械的強度も必要であり、引張り強さ１０（ｋｇｆ／ｍｍ２  ）以上の金属材料を用いるのが好ましい。
【００２９】
なお、上記実施形態では、いずれもソール部材３に４つの取付孔４ｈ，４ｉ，４ｊ，４ｋを設けたゴルフクラブヘッドを説明したが、取付孔の個数はこれに限らず、１、２、３又は５個以上であってもよい。
【００３０】
また、上記実施形態では、共鳴調節部材をソール部材３に取り付ける場合を説明したが、外郭を構成する構成部材であればよく、サイド部材４やクラウン部材５に取付孔を設けて装着するようにしてもよい。
【００３１】
また、上記実施形態では、共鳴調節部材の取付構造を螺合構造として説明したが、取付構造はこれに限らない。例えば、共鳴調節部材を取付孔に嵌め合わせや接着により取り付けるような構造でもよい。
【００３２】
【発明の効果】
以上説明したように、本発明は、共鳴調節部材を着脱自在に外郭部材に取り付けるようにしたため、予め複数の共鳴調節部材を用意しておくことにより、ゴルファはそれらの共鳴調節部材を取り付けて試打し、好みの打撃音に調節することができる。したがって、本発明によれば、重心位置を調整することで、ゴルフクラブヘッドの性能を調整することができるとともに、ゴルファの好みの打撃音に容易に調節することができるゴルフクラブヘッドを提供することができる。
【図面の簡単な説明】
【図１】本発明のゴルフクラブヘッドの一実施形態の正面図である。
【図２】図１に示すゴルフクラブヘッドの底面図である。
【図３】図１に示すゴルフクラブヘッドをヒール側から見た右側面図である。
【図４】（Ａ）は、図２に示すゴルフクラブヘッドのａ−ａ’矢視断面図であり、図４（Ｂ）および（Ｃ）は、共鳴調節部材および閉塞部材の装着部分の拡大断面図である。
【図５】図１に示すゴルフクラブヘッドの共鳴調節部材取付前の底面図である。
【図６】図５に示すゴルフクラブヘッドの共鳴調節部材取付前のｂ−ｂ’矢視断面図である。
【図７】（Ａ）は、図１に示すゴルフクラブヘッドに取り付ける共鳴調節部材の斜視図であり、（Ｂ）は、図１に示すゴルフクラブヘッドに取り付ける閉塞部材の斜視図である。
【図８】本発明のゴルフクラブヘッドの他の実施形態の正面図である。
【図９】図８に示すゴルフクラブヘッドの底面図である。
【図１０】図８に示すゴルフクラブヘッドをヒール側から見た右側面図である。
【図１１】本発明のゴルフクラブヘッドの他の実施形態の正面図である。
【図１２】図１１に示すゴルフクラブヘッドの底面図である。
【図１３】図１１に示すゴルフクラブヘッドをヒール側からみた右側面図である。
【図１４】図１２に示すゴルフクラブヘッドのｃ−ｃ’矢視断面図である。
【図１５】図１１に示すゴルフクラブヘッドに取り付ける共鳴調節部材の斜視図である。
【図１６】本発明のゴルフクラブヘッドの他の実施形態の正面図である。
【図１７】図１６に示すゴルフクラブヘッドの底面図である。
【図１８】図１６に示すゴルフクラブヘッドをヒール側から見た右側面図である。
【図１９】本発明のゴルフクラブヘッドに用いられる共鳴調節部材の他の例を説明する斜視図である。
【図２０】本発明のゴルフクラブヘッドに用いられる共鳴調節部材の材料の特性を説明する図である。
【符号の説明】
１，２１  ゴルフクラブヘッド
２    フェース部材
３    ソール部材
４    サイド部材
５    クラウン部材
４ｄ，４ｅ，４ｆ，４ｇ    案内部
４ｈ，４ｉ，４ｊ，４ｋ  取付孔
６，２６  共鳴調節部材
６ａ，２６ａ  台座
６ｂ  音叉部材
７，８，９，２７，２８，２９  閉塞部材
７ａ  台座
７ｂ  孔
２６ｂ  振動吸収部材
【図１】
2004222911.tif 000003
【図２】
2004222911.tif 000004
【図３】
2004222911.tif 000005
【図４】
2004222911.tif 000006
【図５】
2004222911.tif 000007
【図６】
2004222911.tif 000008
【図７】
2004222911.tif 000009
【図８】
2004222911.tif 000010
【図９】
2004222911.tif 000011
【図１０】
2004222911.tif 000012
【図１１】
2004222911.tif 000013
【図１２】
2004222911.tif 000014
【図１３】
2004222911.tif 000015
【図１４】
2004222911.tif 000016
【図１５】
2004222911.tif 000017
【図１６】
2004222911.tif 000018
【図１７】
2004222911.tif 000019
【図１８】
2004222911.tif 000020
【図１９】
2004222911.tif 000021
【図２０】
2004222911.tif 000022